(57)【特許請求の範囲】
【請求項１】
複数の端末装置の各々から任意のタイミングで撮影に関する所定動作の開始要求信号と終了要求信号とを受信する受信手段と、
前記複数の端末装置のうちのいずれか一の端末装置から最初に開始要求信号を受信した際に前記所定動作を開始し、前記開始要求信号を送信した全ての端末装置から前記終了要求信号を受信するまでの間は前記所定動作を継続して実行させる制御手段と、
を備え、
前記所定動作は、第１状態から当該第１状態よりも消費電力が高い第２状態に移行した後に撮影動作を開始し、当該撮影動作が終了した後に第２状態から第１状態に移行する動作であり、
前記制御手段は、前記複数の端末装置のうちのいずれか一の端末装置から最初に開始要求信号を受信した際に前記第１状態から前記第２状態に移行させ、その後に撮影動作を開始させ、前記開始要求信号を送信した全ての端末装置から前記終了要求信号を受信するまでの間は前記撮影動作を継続して実行させ、当該全ての端末装置から前記終了要求信号を受信した後に、前記撮影動作を終了させ、その後に前記第２状態から前記第１状態に移行させることを特徴とする撮像装置。
【請求項２】
前記所定動作は、動画の撮影動作であり、
前記制御手段は、前記複数の端末装置のうちのいずれか一の端末装置から最初に開始要求信号を受信した際に動画の撮影動作を開始させ、前記開始要求信号を送信した全ての端末装置から前記終了要求信号を受信するまでの間は動画の撮影動作を継続して実行させ、当該全ての端末装置から前記終了要求信号を受信した後に、動画の撮影動作を終了させることを特徴とする請求項１に記載の撮像装置。
【請求項３】
前記撮影動作によって撮影された前記動画のうち、前記複数の端末装置の各々において記録開始要求がなされてから記録終了要求がなされるまでの期間に撮影された各部分動画を、端末装置毎に特定する特定手段を更に備えることを特徴とする請求項２に記載の撮像装置。
【請求項４】
前記受信手段は、前記記録開始要求と前記記録終了要求とがなされた各時刻を示す時刻情報を各端末装置から受信し、
前記特定手段は、前記受信手段によって受信された前記時刻情報に基づいて、各端末装置に対応する前記部分動画を特定することを特徴とする請求項３に記載の撮像装置。
【請求項５】
各端末装置からの前記部分動画の再生要求に応じて、各端末装置に対応して特定される前記部分動画を再生する再生手段を更に備えることを特徴とする請求項３に記載の撮像装置。
【請求項６】
各端末装置からの前記部分動画の送信要求に応じて、各端末装置に対応して特定される前記部分動画を当該送信要求を行った端末装置に送信する送信手段を更に備えることを特徴とする請求項３に記載の撮像装置。
【請求項７】
前記記録開始要求と前記記録終了要求とがなされた各時刻を示す時刻情報を記録する記録手段を備え、
前記特定手段は、前記記録手段に記録された前記時刻情報に基づいて、各端末装置に対応する前記部分動画を特定することを特徴とする請求項３に記載の撮像装置。
【請求項８】
前記第１状態において前記複数の端末装置の各々との通信が可能な通信手段を有し、
前記制御手段は、前記第１状態において、前記複数の端末装置のうちのいずれか一の端末装置から最初に開始要求信号を前記通信手段によって受信した際に前記第１状態から前記第２状態に移行させることを特徴とする請求項１に記載の撮像装置。
【請求項９】
複数の端末装置の各々から任意のタイミングで撮影に関する所定動作の開始要求信号と終了要求信号とを受信する処理と、
前記複数の端末装置のうちのいずれか一の端末装置から最初に開始要求信号を受信した際に前記所定動作を開始し、前記開始要求信号を送信した全ての端末装置から前記終了要求信号を受信するまでの間は前記所定動作を継続して実行させる処理と、
を含み、
前記所定動作は、第１状態から当該第１状態よりも消費電力が高い第２状態に移行した後に撮影動作を開始し、当該撮影動作が終了した後に第２状態から第１状態に移行する動作であり、
前記実行させる処理は、前記複数の端末装置のうちのいずれか一の端末装置から最初に開始要求信号を受信した際に前記第１状態から前記第２状態に移行させ、その後に撮影動作を開始させ、前記開始要求信号を送信した全ての端末装置から前記終了要求信号を受信するまでの間は前記撮影動作を継続して実行させ、当該全ての端末装置から前記終了要求信号を受信した後に、前記撮影動作を終了させ、その後に前記第２状態から前記第１状態に移行させることを特徴とする撮像装置の制御方法。
【請求項１０】
撮像装置のコンピュータを、
複数の端末装置の各々から任意のタイミングで撮影に関する所定動作の開始要求信号と終了要求信号とを受信する受信手段、
前記複数の端末装置のうちのいずれか一の端末装置から最初に開始要求信号を受信した際に前記所定動作を開始し、前記開始要求信号を送信した全ての端末装置から前記終了要求信号を受信するまでの間は前記所定動作を継続して実行させる制御手段、
として機能させ、
前記所定動作は、第１状態から当該第１状態よりも消費電力が高い第２状態に移行した後に撮影動作を開始し、当該撮影動作が終了した後に第２状態から第１状態に移行する動作であり、
前記制御手段は、前記複数の端末装置のうちのいずれか一の端末装置から最初に開始要求信号を受信した際に前記第１状態から前記第２状態に移行させ、その後に撮影動作を開始させ、前記開始要求信号を送信した全ての端末装置から前記終了要求信号を受信するまでの間は前記撮影動作を継続して実行させ、当該全ての端末装置から前記終了要求信号を受信した後に、前記撮影動作を終了させ、その後に前記第２状態から前記第１状態に移行させることを特徴とするプログラム。
【請求項１１】
複数の端末装置と撮像装置とを含む撮影制御システムであって、
前記端末装置は、
ユーザからの前記撮像装置のスリープ解除操作が行われた際に、前記撮像装置に対してスリープ解除要求信号を送信し、
ユーザからの動画記録の開始操作が行われた際に、当該開始操作が行われた時刻情報を記録するとともに、ユーザからの動画記録の終了操作が行われた際に、当該終了操作が行われた時刻情報を記録し、
ユーザからの前記撮像装置のスリープ設定操作が行われた際に、前記撮像装置に対してスリープ設定要求信号を送信し、
前記撮像装置に対して前記開始操作及び前記終了操作が行われた前記時刻情報を送信し、
前記撮像装置は、
前記複数の端末装置のうちのいずれか一の端末装置から最初に前記スリープ解除要求信号を受信した際に、スリープ状態を解除して動画の撮影動作を開始し、
前記スリープ解除要求信号を送信した全ての端末装置から前記スリープ設定要求信号を受信するまでの間はスリープ状態に移行することなく前記動画の撮影動作を継続し、
前記全ての端末装置から前記スリープ設定要求信号を受信した後に前記動画の撮影動作を終了するとともに、スリープ状態に移行し、
前記複数の端末装置のうちのいずれか一の端末装置から前記開始操作及び前記終了操作が行われた前記時刻情報を受信した場合に、当該時刻情報に基づいて、前記動画の撮影動作によって記録された動画の中から当該端末装置に対応する部分動画を特定することを特徴とする撮影制御システム。
【請求項１２】
前記端末装置と前記撮像装置との両方が電源オンの状態にあり、当該端末装置と当該撮像装置との間で、所定速度での画像送信が可能な第１の通信手段と、
前記端末装置と前記撮像装置との間で、前記所定速度での画像送信はできないが、当該端末装置と当該撮像装置とのうちのいずれか一方が前記スリープ状態においても通信が可能な第２の通信手段と、
を有し、
前記撮像装置は、
前記スリープ状態において、前記第２の通信手段によって、前記複数の端末装置のうちのいずれか一の端末装置から最初に前記スリープ解除要求信号を受信した際に、当該スリープ状態を解除して前記電源オンの状態とし、
前記電源オンの状態において、各端末装置から前記開始操作及び前記終了操作が行われた前記時刻情報を受信した際に特定された前記部分動画を、前記第１の通信手段によって、各端末装置に送信することを特徴とする請求項１１に記載の撮影制御システム。
【発明の詳細な説明】
【技術分野】
【０００１】
本発明は、撮像装置、撮像装置の制御方法、プログラム、及び撮影制御システムに関する。
【背景技術】
【０００２】
従来、１台のカメラを複数の端末装置から制御する技術が知られている。例えば、特許文献１には、１台のカメラを複数の端末装置から同時に制御し、それぞれの端末装置に異なる領域の映像を配信する技術が開示されている。また、特許文献２には、複数の端末装置から同時に１台のカメラを制御する操作を行った場合でも、操作の衝突が無いように排他制御を行う技術が開示されている。
【先行技術文献】
【特許文献】
【０００３】
【特許文献１】特開平９−２６１５２２
【特許文献２】特開２０１３−２４３４９９
【発明の概要】
【発明が解決しようとする課題】
【０００４】
しかしながら、上記特許文献１に開示されている技術では、映像の領域を同時に制御することはできるが、カメラの動作タイミングに関する異なる制御を複数の端末装置から同時に（同じ期間内に）行うことはできない。また、上記特許文献２に開示されている技術は、複数の端末装置からの操作を排他制御するものであって、カメラの動作タイミングに関する異なる制御を複数の端末装置から同時に行うことはできない。
【０００５】
本発明は、このような問題に鑑みてなされたものであり、本発明の課題は、カメラの動作タイミングに関する異なる制御を複数の端末装置から同時に（同じ期間内に）行うことができる撮像装置、撮像装置の制御方法、プログラム、及び撮影制御システムを提供することである。
【課題を解決するための手段】
【０００６】
上記課題を解決するため、本発明に係る撮像装置は、
複数の端末装置の各々から任意のタイミングで撮影に関する所定動作の開始要求信号と終了要求信号とを受信する受信手段と、
前記複数の端末装置のうちのいずれか一の端末装置から最初に開始要求信号を受信した際に前記所定動作を開始し、前記開始要求信号を送信した全ての端末装置から前記終了要求信号を受信するまでの間は前記所定動作を継続して実行させる制御手段と、
を備え、
前記所定動作は、第１状態から当該第１状態よりも消費電力が高い第２状態に移行した後に撮影動作を開始し、当該撮影動作が終了した後に第２状態から第１状態に移行する動作であり、
前記制御手段は、前記複数の端末装置のうちのいずれか一の端末装置から最初に開始要求信号を受信した際に前記第１状態から前記第２状態に移行させ、その後に撮影動作を開始させ、前記開始要求信号を送信した全ての端末装置から前記終了要求信号を受信するまでの間は前記撮影動作を継続して実行させ、当該全ての端末装置から前記終了要求信号を受信した後に、前記撮影動作を終了させ、その後に前記第２状態から前記第１状態に移行させることを特徴としている。
【０００７】
また、本発明に係る撮像装置の制御方法は、
複数の端末装置の各々から任意のタイミングで撮影に関する所定動作の開始要求信号と終了要求信号とを受信する処理と、
前記複数の端末装置のうちのいずれか一の端末装置から最初に開始要求信号を受信した際に前記所定動作を開始し、前記開始要求信号を送信した全ての端末装置から前記終了要求信号を受信するまでの間は前記所定動作を継続して実行させる処理と、
を含み、
前記所定動作は、第１状態から当該第１状態よりも消費電力が高い第２状態に移行した後に撮影動作を開始し、当該撮影動作が終了した後に第２状態から第１状態に移行する動作であり、
前記実行させる処理は、前記複数の端末装置のうちのいずれか一の端末装置から最初に開始要求信号を受信した際に前記第１状態から前記第２状態に移行させ、その後に撮影動作を開始させ、前記開始要求信号を送信した全ての端末装置から前記終了要求信号を受信するまでの間は前記撮影動作を継続して実行させ、当該全ての端末装置から前記終了要求信号を受信した後に、前記撮影動作を終了させ、その後に前記第２状態から前記第１状態に移行させることを特徴としている。
【０００８】
また、本発明に係るプログラムは、
撮像装置のコンピュータを、
複数の端末装置の各々から任意のタイミングで撮影に関する所定動作の開始要求信号と終了要求信号とを受信する受信手段、
前記複数の端末装置のうちのいずれか一の端末装置から最初に開始要求信号を受信した際に前記所定動作を開始し、前記開始要求信号を送信した全ての端末装置から前記終了要求信号を受信するまでの間は前記所定動作を継続して実行させる制御手段、
として機能させ、
前記所定動作は、第１状態から当該第１状態よりも消費電力が高い第２状態に移行した後に撮影動作を開始し、当該撮影動作が終了した後に第２状態から第１状態に移行する動作であり、
前記制御手段は、前記複数の端末装置のうちのいずれか一の端末装置から最初に開始要求信号を受信した際に前記第１状態から前記第２状態に移行させ、その後に撮影動作を開始させ、前記開始要求信号を送信した全ての端末装置から前記終了要求信号を受信するまでの間は前記撮影動作を継続して実行させ、当該全ての端末装置から前記終了要求信号を受信した後に、前記撮影動作を終了させ、その後に前記第２状態から前記第１状態に移行させることを特徴としている。
【０００９】
また、本発明に係る撮影制御システムは、
複数の端末装置と撮像装置とを含む撮影制御システムであって、
前記端末装置は、
ユーザからの前記撮像装置のスリープ解除操作が行われた際に、前記撮像装置に対してスリープ解除要求信号を送信し、
ユーザからの動画記録の開始操作が行われた際に、当該開始操作が行われた時刻情報を記録するとともに、ユーザからの動画記録の終了操作が行われた際に、当該終了操作が行われた時刻情報を記録し、
ユーザからの前記撮像装置のスリープ設定操作が行われた際に、前記撮像装置に対してスリープ設定要求信号を送信し、
前記撮像装置に対して前記開始操作及び前記終了操作が行われた前記時刻情報を送信し、
前記撮像装置は、
前記複数の端末装置のうちのいずれか一の端末装置から最初に前記スリープ解除要求信号を受信した際に、スリープ状態を解除して動画の撮影動作を開始し、
前記スリープ解除要求信号を送信した全ての端末装置から前記スリープ設定要求信号を受信するまでの間はスリープ状態に移行することなく前記動画の撮影動作を継続し、
前記全ての端末装置から前記スリープ設定要求信号を受信した後に前記動画の撮影動作を終了するとともに、スリープ状態に移行し、
前記複数の端末装置のうちのいずれか一の端末装置から前記開始操作及び前記終了操作が行われた前記時刻情報を受信した場合に、当該時刻情報に基づいて、前記動画の撮影動作によって記録された動画の中から当該端末装置に対応する部分動画を特定することを特徴としている。
【発明の効果】
【００１０】
本発明によれば、カメラの動作タイミングに関する異なる制御を複数の端末装置から同時に（同じ期間内に）行うことができる。
【図面の簡単な説明】
【００１１】
【図１】本発明を適用した撮影制御システムの概略構成を示す図である。
【図２】図１の撮影制御システムを構成する撮像装置の概略構成を示すブロック図である。
【図３】図１の撮影制御システムを構成する端末装置の概略構成を示すブロック図である。
【図４】動画の撮影処理に係る動作の一例を示すフローチャートである。
【図５】動画の撮影処理に係る動作の一例を示すタイミングチャートである。
【図６】動画の再生処理に係る動作の一例を示すフローチャートである。
【発明を実施するための形態】
【００１２】
以下、添付図面を参照して本発明に係る実施の形態を詳細に説明する。なお、本発明は、図示例に限定されるものではない。
【００１３】
図１は、本発明を適用した撮影制御システム１００の概略構成を示す図である。
図１に示すように、撮影制御システム１００は、撮像装置１と、複数（例えば、２つ）の端末装置２と、を備えている。
【００１４】
先ず、撮像装置１について、図２を参照して説明する。
図２は、撮影制御システム１００を構成する撮像装置１の概略構成を示すブロック図である。
図２に示すように、撮像装置１は、具体的には、中央制御部１０１と、メモリ１０２と、撮像部１０３と、信号処理部１０４と、画像処理部１０５と、動作制御部１０６と、画像記録部１０７と、計時部１０８と、表示部１０９と、通信部１１０と、操作入力部１１１と、を備えている。
また、中央制御部１０１、メモリ１０２、撮像部１０３、信号処理部１０４、画像処理部１０５、動作制御部１０６、画像記録部１０７、計時部１０８、表示部１０９、及び通信部１１０は、バスライン１１２を介して接続されている。
【００１５】
中央制御部１０１は、撮像装置１の各部を制御するものである。具体的には、中央制御部１０１は、図示は省略するが、ＣＰＵ（Central Processing Unit）等を備え、撮像装置１用の各種処理プログラム（図示略）に従って各種の制御動作を行う。
【００１６】
メモリ１０２は、例えば、ＤＲＡＭ（Dynamic Random Access Memory）等により構成され、中央制御部１０１や動作制御部１０６等によって処理されるデータ等を一時的に格納する。
【００１７】
撮像部１０３は、所定の被写体（例えば、人物等）を撮像してフレーム画像を生成する。具体的には、撮像部１０３は、レンズ部１０３ａと、電子撮像部１０３ｂと、撮像制御部１０３ｃと、を備えている。
【００１８】
レンズ部１０３ａは、例えば、ズームレンズやフォーカスレンズ等の複数のレンズ、レンズを通過する光の量を調整する絞り等から構成されている。
電子撮像部１０３ｂは、例えば、ＣＣＤ（Charge Coupled Device）やＣＭＯＳ（Complementary Metal-oxide Semiconductor）等のイメージセンサ（撮像素子）から構成されている。そして、電子撮像部１０３ｂは、レンズ部１０３ａの各種レンズを通過した光学像を二次元の画像信号に変換する。
撮像制御部１０３ｃは、例えば、タイミング発生器やドライバにより電子撮像部１０３ｂを走査駆動して、レンズ部１０３ａを通過した光学像を電子撮像部１０３ｂにより所定周期毎に二次元の画像信号に変換させ、当該電子撮像部１０３ｂの撮像領域から一画面分ずつフレーム画像を読み出して信号処理部１０４に出力させる。
【００１９】
信号処理部１０４は、電子撮像部１０３ｂから転送されたフレーム画像のアナログ値の信号に対して各種の画像信号処理を施す。具体的には、信号処理部１０４は、例えば、フレーム画像のアナログ値の信号に対してＲＧＢの色成分毎にゲイン調整し、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行って、デジタル値の輝度信号Ｙ及び色差信号Ｃｂ，Ｃｒ（ＹＵＶデータ）を生成する。また、信号処理部１０４は、生成された輝度信号Ｙ及び色差信号Ｃｂ，Ｃｒをバッファメモリとして使用されるメモリ１０２に出力する。
【００２０】
画像処理部１０５は、信号処理部１０４により生成された画像データを所定の圧縮形式（例えば、ＪＰＥＧ形式、ＭＰＥＧ形式等）で符号化して記録用の画像データを生成する。
また、画像処理部１０５は、メモリ１０２や画像記録部１０７から読み出された表示対象に係る画像データを対応する所定の符号化方式に従って復号して、表示部１０９に出力する。このとき、画像処理部１０５は、例えば、後述する表示パネル１０９ｂの表示解像度等に基づいて所定サイズ（例えば、ＶＧＡやフルＨＤサイズ）に変形して表示部１０９に出力しても良い。
なお、画像処理部１０５は、所定のロジック回路から構成されているが、当該構成は一例であってこれに限られるものではない。例えば、画像処理部１０５は、その画像処理の内容に応じてロジック回路とＣＰＵの両方で分担して実行するようにしても良い。
【００２１】
動作制御部（制御手段）１０６は、複数の端末装置２からのリモート操作に基づいて撮像装置１の各部の動作を制御する。
具体的には、動作制御部１０６は、撮像装置１と各端末装置２の各々との間で時刻の同期をとることを目的として、後述する計時部１０８により取得された現在の時刻を示す時刻情報を通信部１１０により送信可能となるように制御する。より具体的には、複数の端末装置２のうちのいずれか一の端末装置２からの時刻問い合わせ信号が第２通信部１１０ｂにより受信された場合、動作制御部１０６は、計時部１０８により取得された現在の時刻を示す時刻情報を第２通信部１１０ｂに出力し、第２通信部１１０ｂは、入力された時刻情報を、時刻問い合わせ信号を送信した端末装置２に送信する。時刻問い合わせ信号を送信した端末装置２は、受信した上記時刻情報に基づき時刻の設定を行うことによって、撮像装置１との間で時刻の同期をとることとなる。
【００２２】
また、動作制御部１０６は、撮像装置１の動作状態がスリープ状態（第１状態）のときに、複数の端末装置２のうちのいずれか一の端末装置２からのスリープ解除要求信号（動画の撮影動作（所定動作）の開始要求信号）が第２通信部１１０ｂにより受信された場合、スリープ状態を解除して通常動作状態（第２状態）に移行させる。ここで、スリープ状態とは、電源オフ、又は通常動作状態に比べて低消費電力の状態であるが、少なくとも、スリープ状態を解除して通常動作状態に移行させるためのコマンド（スリープ解除要求信号）を通信することが可能な状態をいう。
そして、動作制御部１０６は、撮像部１０３に所定の撮像フレームレートで動画の撮影動作を開始させる。ここで、撮像装置１に対してスリープ解除要求信号を送信した端末装置２が複数ある場合、動作制御部１０６は、当該スリープ解除要求信号を送信した全ての端末装置２からのスリープ設定要求信号（動画の撮影動作（所定動作）の終了要求信号）が第１通信部１１０ａにより受信されるまでの間は、撮像部１０３に上記動画の撮影動作を継続して実行させる。そして、全ての端末装置２からのスリープ設定要求信号が第１通信部１１０ａにより受信された場合、動作制御部１０６は、撮像部１０３による上記動画の撮影動作を終了させ、動作状態を通常動作状態からスリープ状態に移行させる。
【００２３】
また、動作制御部１０６は、各端末装置２からの再生要求に応じて、撮像部１０３により撮影された動画を再生させるように制御する。具体的には、複数の端末装置２のうちのいずれか一の端末装置２からの録画指定範囲情報が第１通信部１１０ａにより受信された場合、動作制御部１０６は、当該録画指定範囲情報が示す動画の録画開始時刻及び録画停止時刻を含む時間帯に撮影された動画の画像データを画像記録部１０７から読み出し、画像処理部１０５によって、当該画像データを対応する所定の符号化方式に従って復号させる。そして、動作制御部（特定手段）１０６は、復号された画像データのうち、上記録画指定範囲情報が示す動画の録画開始時刻及び録画停止時刻の範囲の画像データを表示部１０９に出力させる。そして、表示部（再生手段）１０９は、入力された画像データに基づき、撮像部１０３により撮影された動画のうち、上記端末装置２により指定された動画の録画開始時刻と録画停止時刻の範囲の動画（部分動画）を再生する。また、上記部分動画の再生が終了した場合、動作制御部１０６は、当該再生が終了したことを示す再生終了通知信号を第１通信部１１０ａに出力し、第１通信部１１０ａは、入力された再生終了通知信号を、上記指定時刻範囲情報を送信した端末装置２に送信する。
【００２４】
なお、動作制御部１０６は、例えば、所定のロジック回路から構成されているが、構成は一例であってこれに限られるものではない。
【００２５】
画像記録部１０７は、例えば、不揮発性メモリ（フラッシュメモリ）等により構成され、画像処理部１０５により所定の圧縮形式で符号化された記録用の画像データを記録する。例えば、画像記録部１０７は、被写体が連続して撮像された複数のフレーム画像からなる動画を記録する。なお、画像記録部１０７は、例えば、記録媒体（図示略）が着脱自在に構成され、装着された記録媒体からのデータの読み出しや記録媒体に対するデータの書き込みを制御する構成であっても良い。
【００２６】
計時部１０８は、例えば、タイマや計時回路等を備えて構成され、現在の時刻を計時して時刻情報を取得する。
【００２７】
表示部（再生手段）１０９は、表示制御部１０９ａと、表示パネル１０９ｂと、を具備している。
表示制御部１０９ａは、画像記録部１０７から読み出され画像処理部１０５により復号された所定サイズの画像データに基づいて、所定の動画を表示パネル１０９ｂの表示画面に表示させる制御を行う。
なお、表示制御部１０９ａは、例えば、所定のロジック回路から構成されているが、構成は一例であってこれに限られるものではない。
【００２８】
表示パネル１０９ｂは、表示領域内に画像を表示する。また、表示パネル１０９ｂとしては、例えば、液晶表示パネルや有機ＥＬ表示パネルなどが挙げられるが、一例であってこれらに限られるものではない。
【００２９】
通信部（受信手段、通信手段）１１０は、複数の端末装置２の各々との間でパーソナルな無線通信を行う。
具体的には、通信部１１０は、撮像装置１と端末装置２との両方が、電源オンの状態であり、かつ、所定速度での画像送信が可能な状態にあることを条件として通信を行う第１通信部（第１の通信手段）１１０ａと、所定速度での画像送信はできないが、撮像装置１と端末装置２とのうちのいずれか一方がスリープ状態においても通信を行うことが可能な第２通信部（第２の通信手段）１１０ｂと、を具備している。
【００３０】
第１通信部１１０ａは、Ｗｉ−Ｆｉ（Wireless Fidelity）（登録商標）の規格により通信を行う。
第２通信部１１０ｂは、ＢＬＥ（Bluetooth（登録商標） Low Energy）の規格により通信を行う。第２通信部１１０ｂは、例えば、予めペアリングと呼ばれる通信設定処理を行うことで、互いのデバイス情報や認証鍵のデータを無線信号により端末装置２と交換する。これにより、その後、通信設定処理を毎回行わなくとも、例えば、撮像装置１と端末装置２とが電波が届かない範囲に離れれば通信接続が解除される一方で、電波が届く範囲に近づけば自動的に通信接続される。また、このペアリングが行われることにより、第１通信部１１０ａにおける通信設定も自動で行われるようになっている。また、このペアリングは、複数の端末装置２の各々と行うことが可能となっている。
なお、第１通信部１１０ａ、第２通信部１１０ｂは、アンテナ、復調回路、信号処理回路等により構成されている。
【００３１】
操作入力部１１１は、例えば、撮像装置１本体の電源のＯＮ／ＯＦＦに係る電源ボタン、被写体の撮影指示に係るシャッタボタン、撮影モードや機能等の選択指示に係る選択決定ボタン（何れも図示略）等を備えている。
そして、ユーザにより各種ボタンが操作されると、操作入力部１１１は、操作されたボタンに応じた操作指示を中央制御部１０１に出力する。例えば、ユーザによりシャッタボタンが操作されると、操作入力部１１１は、画像の撮像指示を中央制御部１０１に出力する。中央制御部１０１は、操作入力部１１１から出力され入力された操作指示に従って所定の動作を各部に実行させる。例えば、操作入力部１１１から出力された撮像指示が入力されると、中央制御部１０１は、撮像指示に従って撮像部１０３を制御して、被写体を撮像させる。
【００３２】
次に、撮影制御システム１００を構成する端末装置２について説明する。
端末装置２は、例えば、撮像装置１をリモート操作可能な専用のコントローラのほか、スマートフォン、リストバンド型のリスト端末などの携帯端末である。
【００３３】
図３は、端末装置２の概略構成を示すブロック図である。
図３に示すように、端末装置２は、中央制御部２０１と、メモリ２０２と、記録部２０３と、計時部２０４と、表示部２０５と、通信部２０６と、操作入力部２０７と、を備えている。
また、中央制御部２０１、メモリ２０２、記録部２０３、計時部２０４、表示部２０５、及び通信部２０６は、バスライン２０８を介して接続されている。
【００３４】
中央制御部２０１は、端末装置２の各部を制御するものである。具体的には、中央制御部２０１は、図示は省略するが、ＣＰＵ（Central Processing Unit）等を備え、端末装置２用の各種処理プログラム（図示省略）に従って各種の制御動作を行う。
【００３５】
メモリ２０２は、例えば、ＤＲＡＭ（Dynamic Random Access Memory）等により構成され、中央制御部２０１等によって処理されるデータ等を一時的に格納する。
【００３６】
記録部２０３は、例えば、不揮発性メモリ（フラッシュメモリ）等により構成され、ユーザによる操作入力部２０７の録画開始操作及び録画停止操作がなされた時刻を示す録画指定範囲情報を記録する。具体的には、記録部２０３は、例えば、撮像装置１による動画の撮影動作が開始されている状態において、ユーザ所望の録画開始タイミングで操作入力部２０７による録画開始操作がなされた場合、及び、ユーザ所望の録画停止タイミングで操作入力部２０７による録画停止操作がなされた場合、当該録画開始操作及び当該録画停止操作がなされた時刻を示す録画指定範囲情報を記録する。
【００３７】
計時部２０４は、例えば、タイマや計時回路等を備えて構成され、現在の時刻を計時し時刻情報を取得する。
【００３８】
表示部２０５は、表示制御部２０５ａと、表示パネル２０５ｂと、を具備している。
表示制御部２０５ａは、所定の画像を表示パネル２０５ｂの表示画面に表示させる制御を行う。
なお、表示制御部２０５ａは、例えば、所定のロジック回路から構成されているが、構成は一例であってこれに限られるものではない。
【００３９】
表示パネル２０５ｂは、表示領域内に画像を表示する。また、表示パネル２０５ｂとしては、例えば、液晶表示パネルや有機ＥＬ表示パネルなどが挙げられるが、一例であってこれらに限られるものではない。
【００４０】
通信部２０６は、撮像装置１との間でパーソナルな無線通信を行う。
具体的には、通信部２０６は、撮像装置１の通信部１１０と略同様の構成をなし、端末装置２と撮像装置１との両方が、電源オンの状態であり、かつ、所定速度での画像送受信が可能な状態にあることを条件として通信を行う第１通信部（第１の通信手段）２０６ａと、所定速度での画像送受信はできないが、端末装置２と撮像装置１とのうちのいずれか一方がスリープ状態においても通信を行うことが可能な第２通信部（第２の通信手段）２０６ｂと、を具備している。
【００４１】
第１通信部２０６ａは、Ｗｉ−Ｆｉ（Wireless Fidelity）の規格により通信を行う。
第２通信部２０６ｂは、ＢＬＥ（Bluetooth Low Energy）の規格により通信を行う。
なお、第１通信部２０６ａ、第２通信部２０６ｂは、アンテナ、復調回路、信号処理回路等により構成されている。
【００４２】
操作入力部２０７は、端末装置２本体に対して各種指示を入力するためのものである。
具体的には、操作入力部２０７は、端末装置２本体の電源のＯＮ／ＯＦＦに係る電源ボタン、モードや機能等の選択指示に係る上下左右のカーソルボタンや決定ボタン（何れも図示略）を備えている。
そして、ユーザにより各種ボタンが操作されると、操作入力部２０７は、操作されたボタンに応じた操作指示を中央制御部２０１に出力する。中央制御部２０１は、操作入力部２０７から出力され入力された操作指示に従って所定の動作を各部に実行させる。
【００４３】
本実施形態にあっては、例えば、端末装置２と撮像装置１との間で時刻の同期をとるための操作指示がなされた場合、中央制御部２０１は、撮像装置１に対して時刻問い合わせ信号を送信する処理を第２通信部２０６ｂに実行させる。そして、撮像装置１から送信された現在の時刻を示す時刻情報を受信した場合、中央制御部２０１は、当該時刻情報に基づき、時刻の設定を行う。また、撮像装置１のスリープ状態を解除するための操作指示がなされた場合、中央制御部２０１は、撮像装置１に対してスリープ解除要求信号を送信する処理を第２通信部２０６ｂに実行させる。また、ユーザ所望の録画開始タイミングで録画開始操作がなされた場合、及び、ユーザ所望の録画停止タイミングで録画停止操作がなされた場合、中央制御部２０１は、当該録画開始操作及び当該録画停止操作がなされた時刻を示す録画指定範囲情報を記録部２０３に記録する。また、撮像装置１をスリープ状態に設定するための操作指示がなされた場合、中央制御部２０１は、撮像装置１に対してスリープ設定要求信号を送信する処理を第２通信部２０６ｂに実行させる。また、記録部２０３に記録された録画指定範囲情報を選択指示する操作がなされた場合、中央制御部２０１は、撮像装置１に対して当該録画指定範囲情報を送信する処理を第１通信部２０６ａに実行させる。
【００４４】
なお、操作入力部２０７は、表示パネル２０５ｂと一体となって設けられたタッチパネル（図示略）を有していても良く、ユーザによるタッチパネルの所定操作に基づいて、所定操作に応じた操作指示を中央制御部２０１に出力しても良い。
【００４５】
次に、上記撮影制御システム１００における動画の撮影処理について、図４及び図５を参照しながら説明する。
図４は、動画の撮影処理に係る動作の一例を示すフローチャートである。なお、撮像装置１と端末装置２とは、いつでも互いの第２通信部による通信が可能なように予めペアリングされているものとする。
【００４６】
図４に示すように、先ず、ユーザによる操作入力部２０７の所定の操作によって、端末装置２の電源がＯＮの状態とされ、撮像装置１との第２通信部２０６ｂを介する通信接続がなされた場合、端末装置２の中央制御部２０１は、撮像装置１に対して時刻問い合わせ信号を送信する処理を第２通信部２０６ｂに実行させる（ステップＳ１０１）。
そして、端末装置２からの時刻問い合わせ信号が第２通信部１１０ｂにより受信された場合、撮像装置１の動作制御部１０６は、計時部１０８により取得された現在の時刻を示す時刻情報を端末装置２に送信する処理を第２通信部１１０ｂに実行させる（ステップＳ２０１）。そして、端末装置２の中央制御部２０１は、受信した上記時刻情報に基づき時刻の設定を行う（ステップＳ１０２）。これにより、端末装置２は、撮像装置１との間で時刻の同期をとることとなる。
【００４７】
次いで、端末装置２の中央制御部２０１は、操作入力部２０７によって撮像装置１のスリープ状態を解除するための操作指示がなされたか否かを判定する（ステップＳ１０３）。
ステップＳ１０３において、撮像装置１のスリープ状態を解除するための操作指示がなされていないと判定された場合（ステップＳ１０３；ＮＯ）、端末装置２の中央制御部２０１は、当該操作指示がなされるまでステップＳ１０３の判定処理を繰り返し行う。
一方、ステップＳ１０３において、撮像装置１のスリープ状態を解除するための操作指示がなされたと判定された場合（ステップＳ１０３；ＹＥＳ）、端末装置２の中央制御部２０１は、撮像装置１に対してスリープ解除要求信号を送信する処理を第２通信部２０６ｂに実行させる（ステップＳ１０４）。
【００４８】
次いで、端末装置２からのスリープ解除要求信号が第２通信部１１０ｂにより受信された場合、撮像装置１の動作制御部１０６は、スリープ解除要求を行った端末装置２の端末装置番号（識別番号）をメモリ１０２に記録する（ステップＳ２０２）。
【００４９】
次いで、撮像装置１の動作制御部１０６は、第２通信部１１０ｂにより受信したスリープ解除要求信号が最初のものであるか否かを判定する（ステップＳ２０３）。
ステップＳ２０３において、第２通信部１１０ｂにより受信したスリープ解除要求信号が最初のものであると判定された場合（ステップＳ２０３；ＹＥＳ）、撮像装置１の動作制御部１０６は、動画の撮影動作を開始する処理（録画開始処理）を撮像部１０３に実行させる（ステップＳ２０４）。
一方、ステップＳ２０３において、第２通信部１１０ｂにより受信したスリープ解除要求信号が最初のものでないと判定された場合（ステップＳ２０３；ＮＯ）、ステップＳ２０４をスキップして、ステップＳ２０５へ移行する。
【００５０】
次いで、撮像装置１による動画の撮影動作が開始された状態において、端末装置２の中央制御部２０１は、操作入力部２０７による録画開始操作がなされたか否かを判定する（ステップＳ１０５）。
ステップＳ１０５において、操作入力部２０７による録画開始操作がなされていないと判定された場合（ステップＳ１０５；ＮＯ）、端末装置２の中央制御部２０１は、当該録画開始操作がなされるまで、ステップＳ１０５の判定処理を繰り返し行う。
一方、ステップＳ１０５において、操作入力部２０７による録画開始操作がなされたと判定された場合（ステップＳ１０５；ＹＥＳ）、端末装置２の中央制御部２０１は、当該録画開始操作がなされた時刻を示す情報を録画指定範囲情報として記録部２０３に記録する（ステップＳ１０６）。
【００５１】
次いで、端末装置２の中央制御部２０１は、操作入力部２０７による録画停止操作がなされたか否かを判定する（ステップＳ１０７）。
ステップＳ１０７において、操作入力部２０７による録画停止操作がなされていないと判定された場合（ステップＳ１０７；ＮＯ）、端末装置２の中央制御部２０１は、当該録画停止操作がなされるまで、ステップＳ１０７の判定処理を繰り返し行う。
一方、ステップＳ１０７において、操作入力部２０７による録画停止操作がなされたと判定された場合（ステップＳ１０７；ＹＥＳ）、端末装置２の中央制御部２０１は、当該録画停止操作がなされた時刻を示す情報を録画指定範囲情報として記録部２０３に記録する（ステップＳ１０８）。
【００５２】
次いで、端末装置２の中央制御部２０１は、操作入力部２０７によって撮像装置１をスリープ状態に設定するための操作指示がなされたか否かを判定する（ステップＳ１０９）。
ステップＳ１０９において、撮像装置１をスリープ状態に設定するための操作指示がなされていないと判定された場合（ステップＳ１０９；ＮＯ）、ステップＳ１０５へ戻り、それ以降の処理を行う。つまり、撮像装置１をスリープ状態に設定するための操作指示がなされるまでの間は、撮像装置１によって撮影されている動画の録画指定範囲を複数回指定することができるようになっている。
一方、ステップＳ１０９において、撮像装置１をスリープ状態に設定するための操作指示がなされたと判定された場合（ステップＳ１０９；ＹＥＳ）、端末装置２の中央制御部２０１は、撮像装置１に対してスリープ設定要求信号を送信する処理を第１通信部２０６ａに実行させ（ステップＳ１１０）、端末装置２側の処理を終了する。
【００５３】
次いで、端末装置２からのスリープ設定要求信号が第１通信部１１０ａにより受信された場合、撮像装置１の動作制御部１０６は、スリープ設定要求を行った端末装置２の端末装置番号（識別番号）をメモリ１０２に記録する（ステップＳ２０５）。
【００５４】
次いで、撮像装置１の動作制御部１０６は、スリープ解除要求を行った全ての端末装置２からスリープ設定要求がなされたか否かを判定する（ステップＳ２０６）。ここで、スリープ解除要求を行った端末装置２は、ステップＳ２０２でメモリ１０２に記録されたスリープ解除要求を行った端末装置番号から把握することが可能となっている。
ステップＳ２０６において、スリープ解除要求を行った全ての端末装置２からスリープ設定要求がなされていないと判定された場合（ステップＳ２０６；ＮＯ）、当該全ての端末装置２からスリープ設定要求がなされるまで、ステップＳ２０６の判定処理を繰り返し行う。
一方、ステップＳ２０６において、スリープ解除要求を行った全ての端末装置２からスリープ設定要求がなされたと判定された場合（ステップＳ２０６；ＹＥＳ）、撮像装置１の動作制御部１０６は、動画の撮影動作を停止する処理（録画停止処理）を撮像部１０３に実行させ（ステップＳ２０７）、撮像装置１側の処理を終了する。
【００５５】
次に、上述した撮影制御システム１００による動画の撮影処理に係る動作の一例を、図５に示すタイミングチャートを参照して説明する。なお、図５に示す例では、端末装置２として、端末装置２Ａ及び端末装置２Ｂの各々が撮像装置１と予めペアリングされているものとする。
【００５６】
図５に示すように、タイミングｔ１のとき、端末装置２Ａにおいて、撮像装置１のスリープ状態を解除するための操作指示がなされ（ステップＳ１０３；ＹＥＳ）、撮像装置１に対してスリープ解除要求信号が送信されると（ステップＳ１０４）、当該スリープ解除要求信号を受信した撮像装置１は、スリープ解除要求を行った端末装置２Ａの端末装置番号（識別番号）をメモリ１０２に記録する（ステップＳ２０２）。そして、端末装置２Ａから受信したスリープ解除要求信号は最初のものであるため（ステップＳ２０３；ＹＥＳ）、撮像装置１は、動画の撮影動作を開始する（ステップＳ２０４）。
【００５７】
次に、タイミングｔ２のとき、端末装置２Ａの操作入力部２０７による録画開始操作がなされると（ステップＳ１０５；ＹＥＳ）、端末装置２Ａは、当該録画開始操作がなされた時刻を示す情報を録画指定範囲情報として記録部２０３に記録する（ステップＳ１０６）。
【００５８】
次に、タイミングｔ３のとき、端末装置２Ｂにおいて、撮像装置１のスリープ状態を解除するための操作指示がなされ（ステップＳ１０３；ＹＥＳ）、撮像装置１に対してスリープ解除要求信号が送信されると（ステップＳ１０４）、当該スリープ解除要求信号を受信した撮像装置１は、スリープ解除要求を行った端末装置２Ｂの端末装置番号（識別番号）をメモリ１０２に記録する（ステップＳ２０２）。そして、端末装置２Ｂから受信したスリープ解除要求信号は最初のものでないため（ステップＳ２０３；ＮＯ）、撮像装置１は、動画の撮影動作を開始する録画開始処理（ステップＳ２０４）をスキップする。
【００５９】
次に、タイミングｔ４のとき、端末装置２Ｂの操作入力部２０７による録画開始操作がなされると（ステップＳ１０５；ＹＥＳ）、端末装置２Ｂは、当該録画開始操作がなされた時刻を示す情報を録画指定範囲情報として記録部２０３に記録する（ステップＳ１０６）。
【００６０】
次に、タイミングｔ５のとき、端末装置２Ａの操作入力部２０７による録画停止操作がなされると（ステップＳ１０７；ＹＥＳ）、端末装置２Ａは、当該録画停止操作がなされた時刻を示す情報を録画指定範囲情報として記録部２０３に記録する（ステップＳ１０８）。
【００６１】
次に、タイミングｔ６のとき（ステップＳ１０９；ＮＯ）、再度、端末装置２Ａの操作入力部２０７による録画開始操作がなされると（ステップＳ１０５；ＹＥＳ）、端末装置２Ａは、当該録画開始操作がなされた時刻を示す情報を録画指定範囲情報として記録部２０３に記録する（ステップＳ１０６）。
そして、タイミングｔ７のとき、端末装置２Ａの操作入力部２０７による録画停止操作がなされると（ステップＳ１０７；ＹＥＳ）、端末装置２Ａは、当該録画停止操作がなされた時刻を示す情報を録画指定範囲情報として記録部２０３に記録する（ステップＳ１０８）。
【００６２】
次に、タイミングｔ８のとき、端末装置２Ｂの操作入力部２０７による録画停止操作がなされると（ステップＳ１０７；ＹＥＳ）、端末装置２Ｂは、当該録画停止操作がなされた時刻を示す情報を録画指定範囲情報として記録部２０３に記録する（ステップＳ１０８）。
【００６３】
次に、タイミングｔ９のとき、端末装置２Ａにおいて、撮像装置１をスリープ状態に設定するための操作指示がなされ（ステップＳ１０９；ＹＥＳ）、撮像装置１に対してスリープ設定要求信号が送信されると（ステップＳ１１０）、当該スリープ設定要求信号を受信した撮像装置１は、スリープ設定要求を行った端末装置２Ａの端末装置番号（識別番号）をメモリ１０２に記録する（ステップＳ２０５）。そして、端末装置２Ａからスリープ設定要求信号を受信した段階では、スリープ解除要求を行った全ての端末装置２（端末装置２Ａ及び端末装置２Ｂ）からスリープ設定要求がなされていないため（ステップＳ２０６；ＮＯ）、撮像装置１は、動画の撮影動作を継続して行う。
【００６４】
次に、タイミングｔ１０のとき、端末装置２Ｂにおいて、撮像装置１をスリープ状態に設定するための操作指示がなされ（ステップＳ１０９；ＹＥＳ）、撮像装置１に対してスリープ設定要求信号が送信されると（ステップＳ１１０）、当該スリープ設定要求信号を受信した撮像装置１は、スリープ設定要求を行った端末装置２Ｂの端末装置番号（識別番号）をメモリ１０２に記録する（ステップＳ２０５）。そして、端末装置２Ｂからスリープ設定要求信号を受信したことによって、スリープ解除要求を行った全ての端末装置２（端末装置２Ａ及び端末装置２Ｂ）からスリープ設定要求がなされたこととなるため（ステップＳ２０６；ＹＥＳ）、撮像装置１は、動画の撮影動作を停止する（ステップＳ２０７）。
【００６５】
次に、上記撮影制御システム１００における動画の再生処理について、図６を参照しながら説明する。
図６は、動画の再生処理に係る動作の一例を示すフローチャートである。
【００６６】
図６に示すように、先ず、操作入力部２０７の所定の操作によって、ユーザ所望の動画の録画開始時刻及び録画停止時刻を示す録画指定範囲情報が選択指示された場合、端末装置２の中央制御部２０１は、撮像装置１に対して当該録画指定範囲情報を送信する処理を第１通信部２０６ａに実行させ（ステップＳ１２１）、端末装置２側の処理を終了する。
そして、端末装置２からの録画指定範囲情報が第１通信部１１０ａにより受信された場合、撮像装置１の動作制御部１０６は、当該録画指定範囲情報が示す録画開始時刻及び録画停止時刻を含む時間帯に撮影された動画の画像データを画像記録部１０７から読み出す（ステップＳ２２１）。そして、撮像装置１の画像処理部１０５は、当該画像データを対応する所定の符号化方式に従って復号する（ステップＳ２２２）。そして、撮像装置１の動作制御部１０６は、復号された画像データのうち、上記録画指定範囲情報が示す録画開始時刻及び録画停止時刻の範囲の画像データを表示部１０９に出力させ、表示部１０９は、入力された画像データに基づき、撮像部１０３により撮影された動画のうち、上記端末装置２により指定された動画の録画開始時刻と録画停止時刻の範囲の動画（部分動画）を再生する（ステップＳ２２３）。
【００６７】
次いで、上記部分動画の再生が終了した場合、撮像装置１の動作制御部１０６は、当該再生が終了したことを示す再生終了通知信号を第１通信部１１０ａに出力し、第１通信部１１０ａは、入力された再生終了通知信号を、上記指定時刻範囲情報を送信した端末装置２に送信し（ステップＳ２２４）、撮像装置１側の処理を終了する。
【００６８】
以上説明したように、本実施形態の撮影制御システム１００によれば、端末装置２は、ユーザからの撮像装置１のスリープ解除操作が行われた際に、撮像装置１に対してスリープ解除要求信号を送信し、ユーザからの動画記録の開始操作が行われた際に、当該開始操作が行われた時刻情報（録画指定範囲情報）を記録するとともに、ユーザからの動画記録の終了操作が行われた際に、当該終了操作が行われた時刻情報（録画指定範囲情報）を記録し、ユーザからの撮像装置１のスリープ設定操作が行われた際に、撮像装置１に対してスリープ設定要求信号を送信し、撮像装置１に対して前記開始操作及び前記終了操作が行われた時刻情報（録画指定範囲情報）を送信し、撮像装置１は、複数の端末装置２のうちのいずれか一の端末装置２から最初にスリープ解除要求信号を受信した際に、スリープ状態を解除して動画の撮影動作を開始し、スリープ解除要求信号を送信した全ての端末装置２からスリープ設定要求信号を受信するまでの間はスリープ状態に移行することなく動画の撮影動作を継続し、全ての端末装置２からスリープ設定要求信号を受信した後に動画の撮影動作を終了するとともに、スリープ状態に移行し、複数の端末装置２のうちのいずれか一の端末装置２から前記開始操作及び前記終了操作が行われた前記時刻情報（録画指定範囲情報）を受信した場合に、当該時刻情報に基づいて、前記動画の撮影動作によって記録された動画の中から当該端末装置２に対応する部分動画を特定したこととなる。
従って、各端末装置２の各々によって要望された動画の録画開始時刻及び録画終了（停止）時刻を示す録画指定範囲情報を各端末装置２によって記録しておくようにしているので、各端末装置２の間で排他制御を行わなくても、撮像装置１による動画の録画開始タイミング及び録画終了（停止）タイミングに関する異なる制御を各端末装置２から同時に（同じ期間内に）行うことができるようになる。また、撮像装置１による動画の録画開始タイミング及び録画終了（停止）タイミングに関する異なる制御が端末装置２でなされた際に、上記録画指定範囲情報を撮像装置１に対して送信する必要がないため、撮像装置１と端末装置２との通信接続が遮断されている場合でも、上記録画開始タイミング及び録画終了（停止）タイミングに関する異なる操作を支障なく行うことができる。
【００６９】
また、本実施形態の撮影制御システム１００によれば、撮像装置１は、動画の録画開始タイミング及び録画終了（停止）タイミングに関する異なる制御がなされた各時刻を示す時刻情報（録画指定範囲情報）を各端末装置２から受信することによって、各端末装置２に対応する部分動画を特定するようにしているので、動画の撮影動作時における撮像装置１の処理負担を軽減することができる。
【００７０】
また、本実施形態の撮影制御システム１００によれば、各端末装置２からの部分動画の再生要求に応じて、各端末装置２に対応して特定される部分動画を撮像装置１によって再生するので、各端末装置２に対して部分動画の画像データを送信する必要がなく使い勝手が良い。
【００７１】
なお、本発明は、上記実施形態に限定されることなく、本発明の趣旨を逸脱しない範囲において、種々の改良並びに設計の変更を行っても良い。
例えば、上記実施形態にあっては、各端末装置２からの部分動画の再生要求に応じて、各端末装置２に対応して特定される部分動画を撮像装置１によって再生するようにしたが、撮像装置１は、第１通信部（送信手段、第１の通信手段）１１０ａを用いることによって、各端末装置２からの部分動画の送信要求に応じて、各端末装置２に対応して特定される部分動画を当該送信要求を行った端末装置２に送信するようにしても良い。
【００７２】
また、上記実施形態にあっては、各端末装置２の各々によって要望された動画の録画開始時刻及び録画終了（停止）時刻を示す録画指定範囲情報を各端末装置２によって記録しておくようにしたが、例えば、録画開始タイミング及び録画終了（停止）タイミングに関する異なる制御が各端末装置２でなされた際に、録画指定範囲情報を撮像装置１に対して送信し、撮像装置１によって、当該録画指定範囲情報を、撮影された動画の画像データと対応付けて、画像記録部（記録手段）１０７に記録するようにしても良い。なお、上記録画指定範囲情報を画像記録部１０７に記録する際は、当該録画指定範囲情報を送信した端末装置２の識別情報も対応付けて記録するようにする。
【００７３】
また、上記実施形態にあっては、撮像装置１による撮影に関する所定動作を動画の撮影動作と定義したが、当該所定動作は、スリープ状態（第１状態）から当該スリープ状態よりも消費電力が高い通常動作状態（第２状態）に移行した後に撮影動作を開始し、当該撮影動作が終了した後に通常動作状態からスリープ状態に移行する一連の動作であっても良い。
【００７４】
また、上記実施形態にあっては、複数の端末装置２が撮像装置１を制御するものとしたが、この端末装置２は、スマートフォンのような小型で移動可能な携帯機器などの他、備え付けのパーソナルコンピュータなどであっても良い。
【００７５】
また、上記実施形態にあっては、受信手段、制御手段としての機能を、撮像装置１の中央制御部１０１の制御下にて、動作制御部１０６が駆動することにより実現される構成としたが、これに限られるものではなく、中央制御部１０１によって予定のプログラム等が実行されることにより実現される構成としても良い。
すなわち、プログラムメモリ（図示略）に、受信処理ルーチン、制御処理ルーチンを含むプログラムを記録しておく。そして、受信処理ルーチンにより中央制御部１０１のＣＰＵを、複数の端末装置２の各々から任意のタイミングで撮影に関する所定動作の開始要求信号（スリープ解除要求信号）と終了要求信号（スリープ設定要求信号）とを受信する受信手段として機能させるようにしても良い。また、制御処理ルーチンにより中央制御部１０１のＣＰＵを、複数の端末装置２のうちのいずれか一の端末装置２から最初に開始要求信号（スリープ解除要求信号）を受信した際に所定動作を開始し、開始要求信号（スリープ解除要求信号）を送信した全ての端末装置２から終了要求信号（スリープ設定要求信号）を受信するまでの間は所定動作を継続して実行させる制御手段として機能させるようにしても良い。
【００７６】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７７】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の端末装置の各々から任意のタイミングで撮影に関する所定動作の開始要求信号と終了要求信号とを受信する受信手段と、
前記複数の端末装置のうちのいずれか一の端末装置から最初に開始要求信号を受信した際に前記所定動作を開始し、前記開始要求信号を送信した全ての端末装置から前記終了要求信号を受信するまでの間は前記所定動作を継続して実行させる制御手段と、
を備えることを特徴とする撮像装置。
＜請求項２＞
前記所定動作は、第１状態から当該第１状態よりも消費電力が高い第２状態に移行した後に撮影動作を開始し、当該撮影動作が終了した後に第２状態から第１状態に移行する動作であり、
前記制御手段は、前記複数の端末装置のうちのいずれか一の端末装置から最初に開始要求信号を受信した際に前記第１状態から前記第２状態に移行させ、その後に撮影動作を開始させ、前記開始要求信号を送信した全ての端末装置から前記終了要求信号を受信するまでの間は前記撮影動作を継続して実行させ、当該全ての端末装置から前記終了要求信号を受信した後に、前記撮影動作を終了させ、その後に前記第２状態から前記第１状態に移行させることを特徴とする請求項１に記載の撮像装置。
＜請求項３＞
前記所定動作は、動画の撮影動作であり、
前記制御手段は、前記複数の端末装置のうちのいずれか一の端末装置から最初に開始要求信号を受信した際に動画の撮影動作を開始させ、前記開始要求信号を送信した全ての端末装置から前記終了要求信号を受信するまでの間は動画の撮影動作を継続して実行させ、当該全ての端末装置から前記終了要求信号を受信した後に、動画の撮影動作を終了させることを特徴とする請求項１または２に記載の撮像装置。
＜請求項４＞
前記撮影動作によって撮影された前記動画のうち、前記複数の端末装置の各々において記録開始要求がなされてから記録終了要求がなされるまでの期間に撮影された各部分動画を、端末装置毎に特定する特定手段を更に備えることを特徴とする請求項３に記載の撮像装置。
＜請求項５＞
前記受信手段は、前記記録開始要求と前記記録終了要求とがなされた各時刻を示す時刻情報を各端末装置から受信し、
前記特定手段は、前記受信手段によって受信された前記時刻情報に基づいて、各端末装置に対応する前記部分動画を特定することを特徴とする請求項４に記載の撮像装置。
＜請求項６＞
各端末装置からの前記部分動画の再生要求に応じて、各端末装置に対応して特定される前記部分動画を再生する再生手段を更に備えることを特徴とする請求項４に記載の撮像装置。
＜請求項７＞
各端末装置からの前記部分動画の送信要求に応じて、各端末装置に対応して特定される前記部分動画を当該送信要求を行った端末装置に送信する送信手段を更に備えることを特徴とする請求項４に記載の撮像装置。
＜請求項８＞
前記記録開始要求と前記記録終了要求とがなされた各時刻を示す時刻情報を記録する記録手段を備え、
前記特定手段は、前記記録手段に記録された前記時刻情報に基づいて、各端末装置に対応する前記部分動画を特定することを特徴とする請求項４に記載の撮像装置。
＜請求項９＞
前記第１状態において前記複数の端末装置の各々との通信が可能な通信手段を有し、
前記制御手段は、前記第１状態において、前記複数の端末装置のうちのいずれか一の端末装置から最初に開始要求信号を前記通信手段によって受信した際に前記第１状態から前記第２状態に移行させることを特徴とする請求項２に記載の撮像装置。
＜請求項１０＞
複数の端末装置の各々から任意のタイミングで撮影に関する所定動作の開始要求信号と終了要求信号とを受信する処理と、
前記複数の端末装置のうちのいずれか一の端末装置から最初に開始要求信号を受信した際に前記所定動作を開始し、前記開始要求信号を送信した全ての端末装置から前記終了要求信号を受信するまでの間は前記所定動作を継続して実行させる処理と、
を含むことを特徴とする撮像装置の制御方法。
＜請求項１１＞
撮像装置のコンピュータを、
複数の端末装置の各々から任意のタイミングで撮影に関する所定動作の開始要求信号と終了要求信号とを受信する受信手段、
前記複数の端末装置のうちのいずれか一の端末装置から最初に開始要求信号を受信した際に前記所定動作を開始し、前記開始要求信号を送信した全ての端末装置から前記終了要求信号を受信するまでの間は前記所定動作を継続して実行させる制御手段、
として機能させることを特徴とするプログラム。
＜請求項１２＞
複数の端末装置と撮像装置とを含む撮影制御システムであって、
前記端末装置は、
ユーザからの前記撮像装置のスリープ解除操作が行われた際に、前記撮像装置に対してスリープ解除要求信号を送信し、
ユーザからの動画記録の開始操作が行われた際に、当該開始操作が行われた時刻情報を記録するとともに、ユーザからの動画記録の終了操作が行われた際に、当該終了操作が行われた時刻情報を記録し、
ユーザからの前記撮像装置のスリープ設定操作が行われた際に、前記撮像装置に対してスリープ設定要求信号を送信し、
前記撮像装置に対して前記開始操作及び前記終了操作が行われた前記時刻情報を送信し、
前記撮像装置は、
前記複数の端末装置のうちのいずれか一の端末装置から最初に前記スリープ解除要求信号を受信した際に、スリープ状態を解除して動画の撮影動作を開始し、
前記スリープ解除要求信号を送信した全ての端末装置から前記スリープ設定要求信号を受信するまでの間はスリープ状態に移行することなく前記動画の撮影動作を継続し、
前記全ての端末装置から前記スリープ設定要求信号を受信した後に前記動画の撮影動作を終了するとともに、スリープ状態に移行し、
前記複数の端末装置のうちのいずれか一の端末装置から前記開始操作及び前記終了操作が行われた前記時刻情報を受信した場合に、当該時刻情報に基づいて、前記動画の撮影動作によって記録された動画の中から当該端末装置に対応する前記部分動画を特定することを特徴とする撮影制御システム。
＜請求項１３＞
前記端末装置と前記撮像装置との両方が電源オンの状態にあり、当該端末装置と当該撮像装置との間で、所定速度での画像送信が可能な第１の通信手段と、
前記端末装置と前記撮像装置との間で、前記所定速度での画像送信はできないが、当該端末装置と当該撮像装置とのうちのいずれか一方が前記スリープ状態においても通信が可能な第２の通信手段と、
を有し、
前記撮像装置は、
前記スリープ状態において、前記第２の通信手段によって、前記複数の端末装置のうちのいずれか一の端末装置から最初に前記スリープ解除要求信号を受信した際に、当該スリープ状態を解除して前記電源オンの状態とし、
前記電源オンの状態において、各端末装置から前記開始操作及び前記終了操作が行われた前記時刻情報を受信した際に特定された前記部分動画を、前記第１の通信手段によって、各端末装置に送信することを特徴とする請求項１２に記載の撮影制御システム。
【符号の説明】
【００７８】
１００    撮影制御システム
１        撮像装置
１０１    中央制御部
１０２    メモリ
１０３    撮像部
１０４    信号処理部
１０５    画像処理部
１０６    動作制御部
１０７    画像記録部
１０８    計時部
１０９    表示部
１１０    通信部
１１１    操作入力部
２、２Ａ、２Ｂ  端末装置
２０１    中央制御部
２０２    メモリ
２０３    記録部
２０４    計時部
２０５    表示部
２０６    通信部
２０７    操作入力部
【図１】
0006677004.tif 000002
【図２】
0006677004.tif 000003
【図３】
0006677004.tif 000004
【図４】
0006677004.tif 000005
【図５】
0006677004.tif 000006
【図６】
0006677004.tif 000007